(57)【要約】【課題】  従来のＲＳＳＩを用いた受信強度測定では、受信感度が低いという問題点があり、高感度で、受信信号強度をわかりやすく表示することができる受信信号強度モニタ装置を提供する。【解決手段】  記憶部５７のテーブルに、無線機のＡＧＣ制御部３３から出力されるＡＧＣ制御電圧がＤ／Ａ変換される前のデジタル値であるＡＧＣ制御デジタル値と受信入力レベルの値とを対応付けて記憶しておき、モニタ制御部５６が、Ｄ／Ａ５５に入力されるＡＧＣ制御デジタル値を入力して、記憶部５７のテーブルを参照して当該ＡＧＣ制御デジタル値に対応する受信入力レベルの値を読み取り、表示部５８に受信入力レベルの値を数値表示する受信信号強度モニタ装置５０としている。【選択図】        図４
2009141899.tif 000002
【特許請求の範囲】
【請求項１】
受信信号の入力レベルに応じて増幅率を可変して増幅する自動利得制御増幅器と、
デジタル変換された受信信号の電力値と規定の閾値との差分に応じたデジタル値をアナログに変換して、前記自動利得制御増幅器における増幅率を制御する制御電圧を生成して出力するＡＧＣ制御回路と、を備えた無線機に対する受信信号強度モニタ装置であって、
受信信号の強度を受信入力レベルとして表示する表示部と、
前記差分に応じたデジタル値とそれに対応する受信入力レベルを表すデータとを対応付けてテーブルとして記憶する記憶部と、
前記デジタル値を入力し、前記テーブルを参照して当該デジタル値に対応した受信入力レベルを表す表示を行うよう、前記表示部に指示を出力するモニタ制御部とを備えたことを特徴とする受信信号強度モニタ装置。
【請求項２】
テーブルが、デジタル値とそれに対応する受信入力レベルの数値を記憶しており、
モニタ制御部が、前記テーブルを参照して、入力されたデジタル値に対応する受信入力レベルの数値を表示部に出力することを特徴とする請求項１記載の受信信号強度モニタ装置。
【請求項３】
テーブルが、デジタル値を１０進数又は／及び１６進数で表した数値を記憶しており、
モニタ制御部が、前記テーブルを参照して、入力されたデジタル値に対応する１０進数又は／及び１６進数を表示部に出力することを特徴とする請求項１又は２記載の受信信号強度モニタ装置。
【請求項４】
テーブルが、デジタル値の段階に対応する表示態様を記憶しており、
モニタ制御部が、前記テーブルを参照して、入力されたデジタル値の段階に対応する表示態様で表示を行うよう表示部に指示を出力することを特徴とする請求項１記載の受信信号強度モニタ装置。
【請求項５】
請求項１乃至４のいずれか記載の受信信号強度モニタ装置を備えたことを特徴とする無線機。
【発明の詳細な説明】
【技術分野】
【０００１】
本発明は、微弱無線システムで用いられる無線機に対して用いられる受信信号強度モニタ装置に係り、特に受信信号の電界強度を高感度で測定して数値表示することにより利便性を向上させることができる受信信号強度モニタ装置に関する。
【背景技術】
【０００２】
［先行技術の説明：図３］
携帯電話、無線ＬＡＮ、Bluetooth（登録商標）等の無線システムでは、ＲＳＳＩ（Received Signal Strength Indication）回路を用いて受信信号の電界強度を測定し、送信時の出力制御を行っている。
また、携帯電話機では、ＲＳＳＩを利用して、受信感度を示すアンテナのアイコンを表示している。
一般に、ＲＳＳＩの受信強度測定における感度は、受信機入力で−９０〜−１００dBm程度である。
また、無線機の受信側では、受信信号を、受信信号レベルに応じた増幅率で増幅する自動利得制御増幅器（ＡＧＣ：Auto Gain Control Amplifier）が用いられている。
【０００３】
［先行技術文献］
尚、受信信号の強度を測定する先行技術としては、特開昭５８−１１５９４０号公報（特許文献１）、特開平０２−０７６４２０号公報（特許文献２）、特開平０４−１８１８２９号公報（特許文献３）、特開平０７−２３５９１３号公報（特許文献４）がある。
【０００４】
特許文献１には、ＡＭ放送の受信機において、ＡＧＣ動作開始点前後の入力レベル範囲にわたって、入力信号レベルに応じて変化する信号を出力する信号強度指示回路が記載されている。
【０００５】
特許文献２には、ＡＧＣ回路を備えたＡＭラジオ受信機において、ＡＧＣが作用する入力信号レベルで信号強度計の指針の異常な振れを解消するために、電流ミラー回路によってＡＧＣ電流を制限し、信号強度指示計の駆動電流を制御する構成を備えた信号強度指示回路が記載されている。
【０００６】
特許文献３には、高周波段に備えられたＡＧＣ増幅器の入力信号に対する制御電圧による利得変化特性を相殺する電圧値のテーブルを予めメモリに記憶し、ＡＧＣ増幅器の制御電圧に基づいてメモリから読み出したデータにより中間周波段から検出される入力信号強度検出信号電圧の補正を行う受信入力信号強度検出回路が記載されている。
【０００７】
特許文献４には、スペクトラム拡散通信装置において、ＡＧＣ回路の検出器からの利得制御信号を変換器で信号強度としての電力に変換し、ＡＧＣ回路からの出力信号中の目的の基地局のパイロットチャンネルの電力を拡散符号検出器で検出し、これらを乗算器で乗算して目的とする基地局の信号強度を求め、表示部で表示する通信装置が記載されている。
【０００８】
【特許文献１】特開昭５８−１１５９４０号公報
【特許文献２】特開平０２−０７６４２０号公報
【特許文献３】特開平０４−１８１８２９号公報
【特許文献４】特開平０７−２３５９１３号公報
【発明の開示】
【発明が解決しようとする課題】
【０００９】
しかしながら、ＲＳＳＩを用いて受信強度測定を行う方法では、受信感度が−９０〜−１００dBmと低く、例えばスペクトラム拡散方式の微弱無線システムにおける無線受信機に適用すると、受信レベルがそれより低い場合には、受信レベルに変化があっても同じ測定値しか得られないという問題点があった。
【００１０】
尚、上述した特許文献には、ＡＧＣにおいて入力信号を増幅する際の増幅率を制御するＡＧＣ制御回路からのデジタル信号を用いて受信レベルを表示することは記載されていない。
【００１１】
本発明は上記実状に鑑みて為されたもので、微弱無線システムにおいても利用可能で、高感度で、受信信号強度をわかりやすく表示することができる受信信号強度モニタ装置を提供することを目的とする。
【課題を解決するための手段】
【００１２】
上記従来例の問題点を解決するための本発明は、受信信号の入力レベルに応じて増幅率を可変して増幅する自動利得制御増幅器と、デジタル変換された受信信号の電力値と規定の閾値との差分に応じたデジタル値をアナログに変換して、自動利得制御増幅器における増幅率を制御する制御電圧を生成して出力するＡＧＣ制御回路と、を備えた無線機に対する受信信号強度モニタ装置であって、受信信号の強度を受信入力レベルとして表示する表示部と、差分に応じたデジタル値とそれに対応する受信入力レベルを表すデータとを対応付けてテーブルとして記憶する記憶部と、デジタル値を入力し、テーブルを参照して当該デジタル値に対応した受信入力レベルを表す表示を行うよう、表示部に指示を出力するモニタ制御部とを備えたことを特徴としている。
【００１３】
また、本発明は、上記受信信号強度モニタ装置において、テーブルが、デジタル値とそれに対応する受信入力レベルの数値を記憶しており、モニタ制御部が、テーブルを参照して、入力されたデジタル値に対応する受信入力レベルの数値を表示部に出力することを特徴としている。
【００１４】
また、本発明は、上記受信信号強度モニタ装置において、テーブルが、デジタル値を１０進数又は／及び１６進数で表した数値を記憶しており、モニタ制御部が、テーブルを参照して、入力されたデジタル値に対応する１０進数又は／及び１６進数を表示部に出力することを特徴としている。
【００１５】
また、本発明は、上記受信信号強度モニタ装置において、テーブルが、デジタル値の段階に対応する表示態様を記憶しており、モニタ制御部が、テーブルを参照して、入力されたデジタル値の段階に対応する表示態様で表示を行うよう表示部に指示を出力することを特徴としている。
【００１６】
また、本発明は、無線機において、上記の受信信号強度モニタ装置を備えたことを特徴としている。
【発明の効果】
【００１７】
本発明によれば、受信信号の入力レベルに応じて増幅率を可変して増幅する自動利得制御増幅器と、デジタル変換された受信信号の電力値と規定の閾値との差分に応じたデジタル値をアナログに変換して、自動利得制御増幅器における増幅率を制御する制御電圧を生成して出力するＡＧＣ制御回路と、を備えた無線機に対する受信信号強度モニタ装置であって、受信信号の強度を受信入力レベルとして表示する表示部と、差分に応じたデジタル値とそれに対応する受信入力レベルを表すデータとを対応付けてテーブルとして記憶する記憶部と、デジタル値を入力し、テーブルを参照して当該デジタル値に対応した受信入力レベルを表す表示を行うよう、表示部に指示を出力するモニタ制御部とを備えた受信信号強度モニタ装置としているので、受信入力レベルの測定感度を向上させることができると共に、受信入力レベルをわかりやすく表示して、利便性を向上させることができる効果がある。
【００１８】
また、本発明によれば、テーブルが、デジタル値を１０進数又は／及び１６進数で表した数値を記憶しており、モニタ制御部が、テーブルを参照して、入力されたデジタル値に対応する１０進数又は／及び１６進数を表示部に出力する上記受信信号強度モニタ装置としているので、受信入力レベルを数値で表すことにより、他の用途に利用可能とし、利便性を一層向上させることができる効果がある。
【００１９】
また、本発明によれば、テーブルが、デジタル値の段階に対応する表示態様を記憶しており、モニタ制御部が、テーブルを参照して、入力されたデジタル値の段階に対応する表示態様で表示を行うよう表示部に指示を出力する上記受信信号強度モニタ装置としているので、用途に応じておおよその受信入力レベルの目安をわかりやすく表示することができ、一目でどの程度の受信入力レベルなのかを把握することができる効果がある。
【００２０】
また、本発明によれば、上記の受信信号強度モニタ装置を備えた無線機としているので、二つの装置を一体化することで小型化でき、例えば微弱無線システムの端末等に利用することができる効果がある。
【発明を実施するための最良の形態】
【００２１】
［発明の概要］
本発明の実施の形態について図面を参照しながら説明する。
本発明の実施の形態に係る受信信号強度モニタ装置は、受信信号の入力レベル（受信入力レベル）に応じて増幅率を調整して増幅するＡＧＣと、ＡＧＣを制御するＡＧＣ制御部とを備えた無線機に対する受信信号強度モニタ装置であって、記憶部と、モニタ制御部と、表示部とを備え、記憶部に、ＡＧＣ制御回路から出力されるＡＧＣ制御デジタル値とそれに対応する受信入力レベルとを対応付けて記憶しておき、モニタ制御部が、ＡＧＣ制御回路からデジタル値が入力されると、それに対応する受信入力レベルを読み出して表示部に表示するものであり、受信入力レベルを高感度で測定し、数値でわかりやすく表示することができ、利便性を向上できることができるものである。
【００２２】
また、本発明の実施の形態に係る無線機は、上記受信信号強度モニタ装置を備えた無線機であり、受信入力レベルを高感度で測定して、数値でわかりやすく表示することができ、利便性を向上できることができるものである。
【００２３】
［実施の形態の概略構成：図１］
図１は、本発明の実施の形態に係る受信信号強度モニタ装置によって受信信号強度をモニタされる無線機の概略構成図である。
本発明の実施の形態に係る受信信号強度モニタ装置が接続する無線機（本無線機）は、図１に示すように、無線部１と、信号処理部２と、アンテナ部３と、情報処理部４とを基本的に有している。
【００２４】
本無線機の各部を説明する。
無線部１は、アンテナ部３から取り込まれた信号を増幅し、帯域制限してＩＦ（中間周波数：Intermediate Frequency）周波数帯にダウンコンバートし、更に信号処理部２への入力レベルに増幅する。
また、無線部１は、信号処理部２から入力された信号をＲＦ（無線周波数：Radio Frequency）周波数帯に変換し、帯域制限して微弱無線局の電界強度レベル内で高周波増幅する。
無線部１の具体的な構成については後述する。
【００２５】
信号処理部２は、無線部１から入力された信号をキャリア復調し、逆拡散して同期した信号を復調し、受信データの復号を行って情報処理部４に出力する。
また、信号処理部２は、情報処理部４から入力されたデータを拡散変調及びキャリア変調し、無線部１に出力する。
尚、信号処理部２の内部の具体的構成は後述する。
【００２６】
情報処理部４は、信号処理部２で復号した受信データからＩＤを取得し、取得したＩＤ（相手からのＩＤ）が自己のＩＤと一致するか否かを判定し、一致する場合に、受信データを取り込む。また、接続する装置から入力されたデータを信号処理部２に出力する。
【００２７】
ここで、情報処理部４は、情報処理を実行するものであるから、少なくとも制御部と記憶部を備え、プログラム実行により処理を行うものである。情報処理部４での処理内容をＤＳＰ（Digital Signal Processor）で実現してもよい。
【００２８】
［無線部１の構成：図２］
次に、本無線機における無線部１の構成について図２を参照しながら説明する。図２は、無線部１の構成ブロック図である。
無線部１は、図２に示すように、バンドパスフィルタ（ＢＰＦ）１１と、パワーアンプ（ＰＡ）１２と、低雑音増幅器（Low Noise Amplifier：ＬＮＡ）１３と、スイッチ（ＳＷ）１４と、スイッチ（ＳＷ）１５と、バンドパスフィルタ（ＢＰＦ）１６と、スイッチ（ＳＷ）１７と、発振器（Oscillator：ＯＳＣ）１８と、受信ミキサ１９と、ローパスフィルタ（ＬＰＦ）２０と、可変利得増幅器（Automatic Gain Control Amplifier：ＡＧＣ）２１と、ローパスフィルタ（ＬＰＦ）２２と、送信ミキサ２３とを基本的に有している。
【００２９】
［無線部１の動作（受信）：図２］
次に、無線部１における受信の動作を説明する。
アンテナ部３から入力された信号は無線部１に入力され、ＢＰＦ１１を通過して帯域制限された後に、ＳＷ１４にて受信側に切り替えられ、ＬＮＡ１３で増幅され、ＳＷ１５でＢＰＦ１６に出力される。
【００３０】
そして、信号は、ＢＰＦ１６で帯域制限され、ＳＷ１７で受信側に切り替えられ、受信ミキサ１９でＯＳＣ１８からの発振周波数と合成され、ＩＦ周波数帯へダウンコンバートされる。
ＩＦ周波数となった信号は、ＬＰＦ２０で受信ミキサ１９による高調波スプリアスを除去した後に、ＡＧＣ２１にて信号処理部２のアナログ／デジタル変換器（Ａ／Ｄ）３１に適切な一定の入力レベルに増幅される。
【００３１】
ＡＧＣ２１は、ＡＧＣ制御回路３３（図３に示す）から出力される制御電圧に応じて増幅率を調整して、ＩＦ周波数信号を増幅するものである。そして、本無線機では、ＡＧＣ制御回路３３において制御電圧に変換される前のデジタル値を取り出して、それに基づいて受信強度を表す数値を表示出力するものである。
【００３２】
［信号処理部２：図３］
次に、本システムにおける信号処理部２の構成について図３を参照しながら説明する。図３は、信号処理部２の構成ブロック図である。
信号処理部２は、図３に示すように、アナログ／デジタル変換器（Ａ／Ｄ）３１と、キャリア復調回路３２と、ＡＧＣ制御回路３３と、逆拡散回路３４と、同期回路３５と、データ受信回路３６と、データ生成回路３７と、拡散変調回路３８と、キャリア変調回路３９と、デジタル／アナログ変換器（Ｄ／Ａ）４０とを基本的に有している。
【００３３】
［信号処理部２の動作（受信）：図３］
次に、信号処理部２における動作を説明する。
まず、信号処理部２における受信の動作を説明する。
無線部１から入力された信号は、アナログ／デジタル変換器（Ａ／Ｄ）３１でデジタル値となった後にキャリア復調回路３２により復調され、Ｉ成分とＱ成分の複素データに分割される。
このとき、ＡＧＣ２１の利得の制御をＡＧＣ制御回路３３で行う。具体的には、アナログ／デジタル変換器（Ａ／Ｄ）３１からの入力データの振幅が一定になるようＡＧＣ２１に制御信号を出力する。
【００３４】
次に、受信した複素データに対して、逆拡散回路３４でそれぞれ逆拡散処理を行う。逆拡散に使う符号は相手側（例えば子機）の送信に使用された拡散符号を使って行われる。
次に、同期回路３５において、マッチドフィルタを用いて相関検出を行い、予め決められた閾値以上のピークを検出したときを同期タイミングとして、子局装置（子機）側と同期して受信が行われる。
同期タイミング取得後、データ受信回路３６にて受信データ復号を行い、復号したデータを情報処理部４に出力する。
【００３５】
尚、同期回路３５で同期タイミングが得られると、同期回路３５は、当該同期タイミングに基づいて、無線部１、信号処理部２における全ての回路等に受信用同期タイミング、送信用同期タイミングを出力する。
【００３６】
［信号処理部２の動作（送信）：図３］
次に、信号処理部２における送信の動作を説明する。
情報処理部４からの送信用のデータは、データ生成回路３７に入力され、データ生成回路３７は、送信用データを拡散変調回路３８に出力する。
拡散変調回路３８では、予め決められた拡散符号により拡散変調処理を行う。
【００３７】
そして、拡散変調した送信データに対して、キャリア変調回路３９にてキャリア変調処理を行い、このデジタル値をデジタル／アナログ変換器（Ｄ／Ａ）４０にてアナログ値に変換し無線周波数帯のＩＦ信号が無線部１のＬＰＦ２２に出力される。
【００３８】
［ＡＧＣ制御回路３３：図４］
次に、信号処理部２のＡＧＣ制御回路３３及び受信信号強度モニタ装置５０の構成について図４を用いて説明する。図４は、本無線機の信号処理部２に設けられたＡＧＣ制御回路３３及び受信信号強度モニタ装置５０の構成を示す構成ブロック図である。
図４に示すように、ＡＧＣ制御回路３３は、ピーク判定回路５１と、ループフィルタ（Loop Filter）５２と、加算器５３と、アキュムレータ（Accumulator）５４と、デジタル／アナログ変換器（Ｄ／Ａ）５５とから構成されている。
【００３９】
本無線機のＡＧＣ制御回路３３の動作について説明する。
ピーク判定回路５１は、図３のアナログ／デジタル変換器（Ａ／Ｄ）３１から入力される受信ＩＦデジタル信号（AD_RXD）の値から電力値を求め、予め設定されたＡＧＣピーク閾値（AGC_PEAK_TH）との比較で、ピークを判定する。そして、ループフィルタ５２で出力電圧値が平滑化され、加算器５３において調整値（AGC_TH）との差が算出され、当該差がアキュムレータ５４で保持されて、デジタル／アナログ変換器（Ｄ／Ａ）５５で保持値に応じた電圧が出力されるようになっている。
【００４０】
すなわち、ＡＧＣ制御回路３３は、受信レベルに相当する受信ＩＦデジタル信号の電力値と、規定の閾値との差分に応じたデジタル値をデジタル／アナログ変換器（Ｄ／Ａ）５５でアナログ電圧に変換し、ＡＧＣ２１の制御電圧として出力するものである。
【００４１】
［受信信号強度モニタ装置の構成：図４］
次に、本発明の実施の形態に係る受信信号強度モニタ装置５０について図４を用いて説明する。
本実施の形態に係る受信信号強度モニタ装置（本モニタ装置）５０は、ＡＧＣ制御回路３３に接続されて用いられ、ＡＧＣ制御回路３３におけるデジタル値を利用して受信入力レベルをモニタするものである。
本モニタ装置５０は、モニタ制御部５６と、記憶部５７と、表示部５８とを備えている。
【００４２】
受信信号強度モニタ装置５０の構成について具体的に説明する。
記憶部５７は、ハードディスクやメモリ等の記憶装置であり、アキュムレータ５４から出力されるＡＧＣ制御デジタル値（請求項では単に「デジタル値」としている）と、当該ＡＧＣ制御デジタル値が得られる実際の受信入力レベルとを対応付けて記憶するテーブルを備えている。ＡＧＣ制御デジタル値と実際の受信入力レベルとの関係は、予め実験的に求めてテーブルに設定しておくことが考えられる。
【００４３】
また、ＡＧＣ制御デジタル値は受信入力レベルを反映した値であるから、記憶部５７にはＡＧＣ制御デジタル値に対応する１０進数や１６進数を記憶しておき、モニタ制御部５６が、取得したＡＧＣ制御デジタル値をそのままDecimal（１０進数）やHexadecimal（１６進数）に変換して表示部５７に数値表示するようにしてもよい。その場合、例えば「ＡＧＣ設定値」として受信入力レベルを表示してもよい。
【００４４】
モニタ制御部５６は、ＣＰＵ（Central Processing Unit）等の演算装置で構成され、記憶部５７に記憶されているプログラムを起動してモニタ動作を行う。具体的には、モニタ制御部５６は、無線機のアキュムレータ５４から出力されるＡＧＣ制御デジタル値を入力して、記憶部５７のテーブルを参照して、ＡＧＣ制御デジタル値に対応する受信入力レベルを読み出して、表示部５８に出力する。
【００４５】
表示部５８は、受信入力レベルを表示する表示エリアを備えており、モニタ制御部５６からの指示に基づいて受信入力レベルを数値で表示する。
尚、受信信号強度モニタ装置５０は、本実施の形態のように、無線機に設けられた端子に接続して動作するＰＣ（Personal Computer）等の外部機器であってもよいし、無線機本体に組み込まれたものであっても構わない。
【００４６】
このように、本モニタ装置では、受信信号の入力レベルと基準値との差分に基づいたＡＧＣ制御デジタル値を用いて受信信号強度を表示することにより、従来のようにＲＳＳＩで受信信号そのものの強度を測定する場合に比べて受信入力レベルの測定感度を大幅に向上させることができるものである。
【００４７】
［受信入力レベル測定例：図５］
本モニタ装置における受信入力レベルの測定例について図５を用いて説明する。図５は、本モニタ装置における受信入力レベルとＡＧＣ制御デジタル値との関係を示す説明図である。
図５では、横軸に受信機の入力レベルが、縦軸にＡＧＣ制御デジタル値が示されている。
従来のＲＳＳＩを用いた測定では−９５ｄＢ程度が限界であり、これより小さい受信入力レベルは全て０と検出されていたが、本無線機の方法では、受信入力レベルに応じたＡＧＣ制御デジタル値が出力される限界である−１２０ｄＢ程度までの測定が可能となる。つまり、従来より２０〜３０ｄＢ程度低い入力レベルまで検出することが可能となる。これは、微弱無線機において特に有効である。
【００４８】
このように、本モニタ装置では、従来の受信入力レベルの測定方法に比べて大幅に感度を向上させることができ、更に、測定結果を数値で表示することにより、利便性を向上させることができるものである。
【００４９】
［実施の形態の効果］
本発明の実施の形態に係る受信信号強度モニタ装置によれば、記憶部５７のテーブルに、無線機のＡＧＣ制御部３３から出力されるＡＧＣ制御電圧がＤ／Ａ変換される前のデジタル値であるＡＧＣ制御デジタル値と受信入力レベルの値とを対応付けて記憶しておき、モニタ制御部５６が、デジタル／アナログ変換器（Ｄ／Ａ）５５に入力されるＡＧＣ制御デジタル値を入力して、記憶部５７のテーブルを参照して当該ＡＧＣ制御デジタル値に対応する受信入力レベルの値を読み取り、表示部５８に受信入力レベルの値を１０進数又は／及び１６進数で表示する受信信号強度モニタ装置としているので、ＡＧＣ制御が可能な入力レベルである−１２０ｄＢ程度まで検出することができ、従来に比べて受信入力レベルの測定感度を向上させることができると共に、受信入力レベルを数値で表すことにより、他の用途に利用可能とし、利便性を向上させることができる効果がある。
【００５０】
例えば、微弱無線を利用したキーレスエントリーシステムやスマートキーの場合、本モニタ装置をキーに組み込んで適用することにより、表示部に現在の受信入力レベルを表示させることができ、現在通信エリア圏内にいるかどうかを実際に送受信を試みる前に目視で確認することができる効果がある。
【００５１】
また、本モニタ装置を無線システムの中継機や、産業用リモコン、無線利用のデータセンシング機器等に適用すれば、機器を固定設置する場合に適切な設置場所及び方向を簡単に知ることができ、アンテナの向きの調整時に目安とすることができ、作業効率を向上できる効果がある。また、家庭用のリモコンにも応用可能である。
【００５２】
また、本モニタ装置では、ＡＧＣ制御電圧がＤ／Ａ変換される前のＡＧＣ制御デジタル値を用いて受信入力レベルの数値表示を行ったが、数値表示するほど高感度の測定結果を必要としない用途であれば、ＡＧＣ制御デジタル値に応じた表示を数段階記憶しておき、モニタ制御部５６が、入力されたＡＧＣ制御デジタル値が含まれる範囲に対応する段階を示す表示としても構わない。
【００５３】
段階表示の具体的な例を図６に示す。図６は、受信入力レベルを段階的に表す場合の例を示す説明図である。
図６（ａ）に示すように、例えば、キーに受信入力レベルを表す複数のＬＥＤを設けておき、ＡＧＣ制御デジタル値が一定値より低いときにはＬＥＤを一つだけ点灯し、ＡＧＣ制御デジタル値が高くなるにつれて多くのＬＥＤを点灯するように構成して受信入力レベルの状態を表したり、（ｂ）のように、バー表示としてＡＧＣ制御デジタル値が高いほど長く（広い面積を）点灯するように構成することが考えられる。また、やや広い表示部を備えている場合には、（ｃ）のようにのようにバーを複数並べて二次元的に受信入力レベルを表すことも可能である。
【００５４】
これらは全て、ＡＧＣ制御デジタル値を段階別に区分しておき、各段階に対応する表示態様として、段階毎にＬＥＤやバーの点灯パターンを記憶部５７に記憶しておくことで実現される。
ＡＧＣ制御デジタル値の段階に応じて受信入力レベルを表示することにより、利用者は、一目で受信入力レベルの大小を把握することができ、詳細な数値が不要な用途において特に効果がある。
【００５５】
更にまた、バー表示の段階表示を行う場合には、ＡＧＣ制御デジタル値ではなく、当該ＡＧＣ制御デジタル値をＤ／Ａ変換したアナログの制御電圧を入力して、バーの表示面積に変換して表示部に指示を出力するアナログモニタ回路を設け、ＡＧＣ制御電圧の大きさに応じて（ｂ）や（ｃ）のバーの表示を行うことも可能である。
このように構成することにより、少しの変更で受信入力レベルを目視で容易に確認できる効果がある。
【産業上の利用可能性】
【００５６】
本発明は、受信信号の電界強度を高感度で測定して数値表示することにより利便性を向上させることができる受信信号強度モニタ装置に適している。
【図面の簡単な説明】
【００５７】
【図１】本発明の実施の形態に係る受信信号強度モニタ装置が接続する無線機の概略構成図である。
【図２】無線部１の構成ブロック図である。
【図３】信号処理部２の構成ブロック図である。
【図４】本無線機の信号処理部２に設けられたＡＧＣ制御回路３３及び受信信号強度モニタ装置５０の構成を示す構成ブロック図である。
【図５】本モニタ装置における受信入力レベルとＡＧＣ制御デジタル値との関係を示す説明図である。
【図６】受信入力レベルを段階的に表す場合の例を示す説明図である。
【符号の説明】
【００５８】
１…無線部、  ２…信号処理部、    ３…アンテナ部、  ４…情報処理部、  １１…バンドパスフィルタ（ＢＰＦ）、  １２…パワーアンプ（ＰＡ）、  １３…低雑音増幅器（ＬＮＡ）、  １４…スイッチ（ＳＷ）、  １５…スイッチ（ＳＷ）、  １６…バンドパスフィルタ（ＢＰＦ）、  １７…スイッチ（ＳＷ）、  １８…発振器（ＯＳＣ）、  １９…受信ミキサ、  ２０…ローパスフィルタ（ＬＰＦ）、  ２１…可変利得増幅器（ＡＧＣ）、  ２２…ローパスフィルタ（ＬＰＦ）、  ２３…送信ミキサ、  ３１…アナログ／デジタル変換器（Ａ／Ｄ）、  ３２…キャリア復調回路、  ３３…ＡＧＣ制御回路、  ３４…逆拡散回路、  ３５…同期回路、  ３６…データ受信回路、  ３７…データ生成回路、  ３８…拡散変調回路、  ３９…キャリア変調回路、  ４０…デジタル／アナログ変換器（Ｄ／Ａ）、  ５０…受信信号強度モニタ装置、  ５１…ピーク判定回路、  ５２…ループフィルタ、  ５３…加算器、  ５４…アキュムレータ、  ５５…デジタル／アナログ変換器（Ｄ／Ａ）、  ５６…モニタ制御部、  ５７…記憶部、  ５８…表示部
【図１】
2009141899.tif 000003
【図２】
2009141899.tif 000004
【図３】
2009141899.tif 000005
【図４】
2009141899.tif 000006
【図５】
2009141899.tif 000007
【図６】
2009141899.tif 000008